(57)【要約】【課題】複数（例えば二つ）の管体を連結して一本のストローとしたものにおいて、容器内の飲み残しの飲料の流出を防止するための新規な構成を提案する。【解決手段】容器５の外側に配設される飲み口部１９を有する外側ストロー１０と、容器５の内側に挿入される先端部２０ｓを有する内側ストロー２０と、を接続して一連の流路を形成するストローにおいて、外側ストロー１０に対する内側ストロー２０の被挿入部２２が外側ストロー１０とともに折り曲げられた際に屈折部２８（図６（Ｅ））が形成され、屈折部２８によって内側ストロー２０の流路２４が閉鎖される、ストロー１とする。【選択図】図１
2015223363.tif 000002
【特許請求の範囲】
【請求項１】
容器の外側に配設される飲み口部を有する外側ストローと、
前記容器の内側に挿入される先端部を有する内側ストローと、を接続して一連の流路を形成するストローにおいて、
前記外側ストローに対する前記内側ストローの被挿入部が前記外側ストローとともに折り曲げられた際に屈折部が形成され、
前記屈折部によって前記内側ストローの流路が閉鎖される、ストロー。
【請求項２】
前記外側ストローは前記容器の外側に配設される被屈曲部を少なくとも有し、
前記被屈曲部内において、前記内側ストローに前記屈折部が形成される、
ことを特徴とする請求項１に記載のストロー。
【請求項３】
前記外側ストローは、前記被屈曲部を介して飲み口部と反対側に配設されるストレート部を有し、
前記ストレート部の内壁において、内側ストローの外壁部を押圧するための突起部が設けられ、
前記内側ストローが前記突起部により押圧されて前記内側ストローが変形してへこみ部が形成され、
前記へこみ部に応力が生じることで、変形前の状態と比較して前記内側ストローを軽い力で折り曲げて前記屈折部を形成することを可能とする、
ことを特徴とする請求項１又は請求項２に記載のストロー。
【請求項４】
前記外側ストローは、前記ストレート部と被屈曲部の間に、前記ストレート部の管軸方向に対して管軸方向が傾斜する傾斜部を有し、
前記内側ストローは、前記傾斜部に沿うように曲げられる、
ことを特徴とする請求項１乃至請求項３のいずれか一項に記載のストロー。
【請求項５】
前記被屈曲部の内部において前記内側ストローを折り曲げて前記屈折部が形成された状態を維持するための折曲状態維持機構が設けられる、
ことを特徴とする請求項１乃至請求項４のいずれか一項に記載のストロー。
【請求項６】
前記ストレート部には、前記被屈曲部に近い側ほど外径の大きいテーパー部が形成される、
ことを特徴とする請求項１乃至請求項５のいずれか一項に記載のストロー。
【請求項７】
前記外側ストローの長さ方向において、前記突起部、前記テーパー部、前記傾斜部、前記被屈曲部、前記飲み口部が順に配置されるものであり、テーパー部と傾斜部が隣接して屈曲部が形成される、
ことを特徴とする請求項６に記載のストロー。
【請求項８】
前記被屈曲部は、ジャバラ、又は、他の部位よりも肉厚の薄い薄肉部、又は、他の部位と異なる素材であって他の部位よりも可撓性の高い素材、のいずれか、又は、こられの組み合わせによって構成される、
ことを特徴とする請求項２乃至請求項７のいずれか一項に記載のストロー。
【発明の詳細な説明】
【技術分野】
【０００１】
本発明は、容器の蓋などに挿入して内部の飲料を吸引するために用いるストローに関するものであり、より詳しくは、吸引が行われない場合にストローを通じて外部に飲料が流出しないようにするための技術に関する。
【背景技術】
【０００２】
飲料を充填したカップ状容器の上方の開口を、蓋フィルムでラップして閉塞した状態で販売に供される形態は広く知られている。飲用時においては、カップ状容器に付帯等したストローの先端で蓋フィルムを打ち破くようにして容器内にストローが挿入される。
【０００３】
飲料を飲み始めた後に、容器をテーブルやデスクの上などに置いて飲むことを中断することは頻繁に目にされる光景である。
【０００４】
そして、容器を意図せずに転倒させてしまった場合には、蓋フィルムにおけるストローの挿入部から飲料が外部に流出してしまう恐れがある。
【０００５】
特許文献１では、このような転倒時の飲料の流出を防止するために、ネジ状パッキンを設けた構成について開示している。また、特許文献１では、ストローの吸引口にキャップをつけてストローの内部を通じた飲料の流出を防止することについても開示している。
【先行技術文献】
【特許文献】
【０００６】
【特許文献１】実開平６−３８７５５号公報
【発明の概要】
【発明が解決しようとする課題】
【０００７】
近年、複数（例えば二つ）の管体を連結して一本のストローとする構成が知られており、飲用時には、管体同士が離れ合う方向に引っ張ってストローを伸張させて飲用に供される。
【０００８】
そして、このような形態（伸縮式）のストローにおいても、容器の転倒時の飲料の流出防止を図る必要がある。
【０００９】
さらに、例えば、飲み切らない状態において容器をカバンに入れて持ち歩くといった場合も想定され、飲み残された飲料の流出を防止したいというニーズが確認された。
【００１０】
このようなニーズに対し、特許文献１に開示されるように、別体のキャップをストローの吸引口に取り付けることも考えられるが、小さなキャップの取り付け、取り外しが煩わしいことや、紛失などの不具合も生じることが懸念される。
【００１１】
本発明は以上の点に鑑み、複数（例えば二つ）の管体を連結して一本のストローとしたものにおいて、容器内の飲み残しの飲料の流出を防止するための新規な構成を提案するものである。
【課題を解決するための手段】
【００１２】
本発明の解決しようとする課題は以上の如くであり、次にこの課題を解決するための手段を説明する。
【００１３】
即ち、請求項１に記載のごとく、
容器の外側に配設される飲み口部を有する外側ストローと、
前記容器の内側に挿入される先端部を有する内側ストローと、を接続して一連の流路を形成するストローにおいて、
前記外側ストローに対する前記内側ストローの被挿入部が前記外側ストローとともに折り曲げられた際に屈折部が形成され、
前記屈折部によって前記内側ストローの流路が閉鎖される、ストローとする。
【００１４】
また、請求項２に記載のごとく、
前記外側ストローは前記容器の外側に配設される被屈曲部を少なくとも有し、
前記被屈曲部内において、前記内側ストローに前記屈折部が形成される、ストローとする。
【００１５】
また、請求項３に記載のごとく、
前記外側ストローは、前記被屈曲部を介して飲み口部と反対側に配設されるストレート部を有し、
前記ストレート部の内壁において、内側ストローの外壁部を押圧するための突起部が設けられ、
前記内側ストローが前記突起部により押圧されて前記内側ストローが変形してへこみ部が形成され、
前記へこみ部に応力が生じることで、変形前の状態と比較して前記内側ストローを軽い力で折り曲げて前記屈折部を形成することを可能とする、ストローとする。
【００１６】
また、請求項４に記載のごとく、
前記外側ストローは、前記ストレート部と被屈曲部の間に、前記ストレート部の管軸方向に対して管軸方向が傾斜する傾斜部を有し、
前記内側ストローは、前記傾斜部に沿うように曲げられる、こととしている。
【００１７】
また、請求項５に記載のごとく、
前記被屈曲部の内部において前記内側ストローを折り曲げて前記屈折部が形成された状態を維持するための折曲状態維持機構が設けられる、こととしている。
【００１８】
また、請求項６に記載のごとく、
前記ストレート部には、前記被屈曲部に近い側ほど外径の大きいテーパー部が形成される、ストローとする。
【００１９】
また、請求項７に記載のごとく、
前記外側ストローの長さ方向において、前記突起部、前記テーパー部、前記傾斜部、前記被屈曲部、前記飲み口部が順に配置されるものであり、テーパー部と傾斜部が隣接して屈曲部が形成される、ストローとする。
【００２０】
また、請求項８に記載のごとく、
前記被屈曲部は、ジャバラ、又は、他の部位よりも肉厚の薄い薄肉部、又は、他の部位と異なる素材であって他の部位よりも可撓性の高い素材、のいずれか、又は、こられの組み合わせによって構成される、ストローとする。
【発明の効果】
【００２１】
本発明の効果として、以下に示すような効果を奏する。
【００２２】
即ち、請求項１に記載の発明においては、
内側ストローの流路が閉鎖されることで、例えば、テーブルの上で容器が倒れてしまった場合においても、ストローの内部の流路を通じて飲料が外部に漏れることを防止できる。また、例えば、飲み切らない状態において容器をカバンに入れて持ち歩くといった場合においても、カバン内での飲料の流出を防止できる。
【００２３】
また、請求項２に記載の発明においては、
被屈曲部が形成する湾曲により、その内部の内側ストローを曲げた状態を維持し、屈折部による流路の閉鎖状態を保つことができる。
【００２４】
また、請求項３に記載の発明においては、
突起部を設けるといった簡易な構成で、内側ストローを曲げやすい構成を実現できる。また、へこみ部において流路を狭くすることができ、屈折部に飲料が到達し難くなって、内側ストローを通じた飲料の漏れをより効果的に防止できる。
【００２５】
また、請求項４に記載の発明においては、
内側ストローが傾斜部に沿うように曲げられることで、内側ストローに応力が生じ、内側ストローをより軽い力で折り曲げることが可能となる。
【００２６】
また、請求項５に記載の発明においては、
例えば、持ち運び等する際にストローの流路を閉じる非飲用時状態を確実に維持することができ、ストローの流路を通じて飲料が漏れることを防止できる。
【００２７】
また、請求項６に記載の発明においては、
例えば、持ち運び等する際に、容器の蓋フィルムに空けられたストロー孔に対しテーパー部を嵌入させることで、ストロー孔をテーパー部で塞ぐことができ、テーパー部が存在しない場合と比較してストロー孔からの飲料の漏れを防止することができる。また、テーパー部が存在することで、ストロー全体が持ちやすくなり、ストローを指の表面で滑らせることなく、容器に対し容易に差し込むことが可能となる。
【００２８】
また、請求項７に記載の発明においては、
突起部にて内側ストローが変形して応力が発生し、屈曲部において容易に曲がりやすくなり、内側ストローの端部を軽い力で被屈曲部を通過して飲み口部まで到達させることができ、さらには、被屈曲部の内側において内側ストローを軽い力で折り曲げて容易に屈折部を形成することが可能となる。
【００２９】
また、請求項８に記載の発明においては、
被屈曲部において軽い力で、確実に内側ストローを曲げることが可能となる。
【図面の簡単な説明】
【００３０】
【図１】（Ａ）は飲用時におけるストローの飲用時状態について示す図。（Ｂ）は持ち運び等する際にストローの流路を閉じた非飲用時状態について示す図。
【図２】（Ａ）はストローの部分拡大外観図。（Ｂ）はストローの内部構造について示す部分拡大外観図。
【図３】（Ａ）は突起部について説明する縦断面図。（Ｂ）は突起部について説明する水平断面図。（Ｃ）は突起部の形状について説明する縦断面図。
【図４】（Ａ）は他の形態の突起部について説明する縦断面図。（Ｂ）は他の形態の突起部について説明する水平断面図。
【図５】（Ａ）はクリップを非使用状態について示す側面図。（Ｂ）はクリップの使用状態について示す側面図。（Ｃ）はクリップの構造について説明する図。
【図６】ストローを飲用時状態から非飲用時状態とする手順について示す図。
【図７】（Ａ）は屈曲部を設けない構成例について示す図。（Ｂ）は屈曲部のうちの傾斜部を設けない構成例について示す図。
【図８】被屈曲部の他の例について示す図。
【発明を実施するための形態】
【００３１】
図１（Ａ）（Ｂ）は、実施形態の概要について示すものであり、飲用時におけるストロー１の飲用時状態（図１（Ａ））と、持ち運び等する際にストロー１の流路を閉じた非飲用時状態（図１（Ｂ））の二つの状態について示している。
【００３２】
容器５内には飲料３が充填されており、容器５の上部の開口部は蓋フィルム７により密閉されている。ストロー１の先端で蓋フィルムを打ち破くようにして容器内にストロー１が挿入される。
【００３３】
図２（Ａ）はストロー１の部分拡大外観図であり、図２（Ｂ）ではその内部構造の断面について示している。ストロー１は、図において上部に配設される外側ストロー１０と、図において下部に配置される内側ストロー２０とを有して構成される。
【００３４】
外側ストロー１０は、ストレート部１１と、屈曲部１３と、被屈曲部１７と、飲み口部１９と、を有している。
【００３５】
ストレート部１１は、直線状の管を構成するものであり、このストレート部１１に内側ストロー２０の被挿入部２２が挿入される。ストレート部１１と内側ストロー２０の被挿入部２２は、互いに摺動可能であり、ストレート部１１に対する内側ストロー２０の突出長さを適宜調整できるようになっている。また、詳しくは後述するように、被挿入部２２をストレート部１１を通じて奥まで差し込むことにより、内側ストロー２０の流路２４を閉じることができるようになっている。
【００３６】
屈曲部１３は、ストレート部１１の管軸方向１１ｋにおいて同軸上に連続し、ストレート部１１側から徐々に内径、及び、外径を大きくするテーパー部１４と、テーパー部１４の管軸方向から斜め方向において連続する傾斜部１５と、を有している。
【００３７】
ストレート部１１の管軸方向１１ｋに対するテーパー部１４の内壁面の角度θ１は、特に限定されるものではないが、例えば、５度〜４５度とすることが考えられ、好ましくは、１０度〜３０度、更に好ましくは１３度〜１６度とすることが考えられる。
【００３８】
テーパー部１４の管軸方向１１ｋの長さＬ１は、特に限定されるものではないが、例えば、内側ストロー２０の直径（外周の直径）よりも長くすることが好ましい。この設定により、突起部１２で潰された部分が、最終的に折り曲げられた際、曲げ易いよう、外側へ逃げるスペースを確保できる。
【００３９】
ストレート部１１の管軸方向１１ｋと、傾斜部１５の管軸方向１５ｋの間の角度θ２は、特に限定されるものではないが、例えば、１５度〜６０度とすることが考えられ、好ましくは、２５度〜５０度、更に好ましくは３０度〜４５度とすることが考えられる。
【００４０】
傾斜部１５の管軸方向１５ｋの長さＬ２は、特に限定されるものではないが、例えば、内側ストロー２０の直径Ｒ２（外周の直径）よりも長くすることが好ましい。この設定により、突起部１２で潰された部分が、最終的に折り曲げられた際、曲げ易いよう、外側へ逃げるスペースを確保できる。
【００４１】
また、ストレート部１１とテーパー部１４の境界部Ｋ１の近傍において、ストレート部１１の内壁１１ａには、内壁１１ａから突出する突起部１２が配設されている。なお、突起部１２はテーパー部１４側に設けられるものであってもよく、テーパー部１４と傾斜部１５の境界部Ｋ２よりもストレート部１１側に設けられるものであればよい。
【００４２】
突起部１２は、図３（Ａ）〜（Ｃ）に示すように、ストレート部１１の内壁１１ａから突出されるものであり、内側ストロー２０の被挿入部２２の端部２２ａがテーパー部１４に挿入される過程において、内側ストロー２０の外周面の一部が突起部１２に押圧されて内側ストロー２０がへこみ、被挿入部２２においてへこみ部２６が形成される。
【００４３】
突起部１２の形状は特に限定されるものではないが、へこみ部２６における内側ストロー２０の断面形状が略楕円形状となるような形状とすることが好ましい。詳しくは後述するように、内側ストロー２０が略楕円形状となることで、へこみ部２６を起点として内側ストロー２０を屈曲し易くすることができる。
【００４４】
図３（Ｃ）に示す実施形態では、突起部１２の上端部が、テーパー部１４の下端部（境界部Ｋ１）から、内側ストロー２０の直径Ｒ２（外周の直径）以内の位置に配置され、突起部１２の上下方向の長さＨ１２が内側ストロー２０の直径Ｒ２の二倍以下であり、突起部１２の内壁１１ａ（ストレート部１１の内壁）からの最大の突出長さＤ１２（張り出し長さ）が、内側ストロー２０の直径Ｒ２の半分以下（内側ストロー２０の半径以下）となるようにしている。
【００４５】
このような突起部１２の形状とすることで、内側ストロー２０のへこみ部２６において生じる角度θ３（ストレート部１１の管軸方向１１ｋに対する内側ストロー２０の内壁の傾斜角度）を十分に確保することができる。なお、この角度θ３は、特に限定されるものではないが、１０度〜４５度を確保することが好ましく、より好ましくは、１５度〜３５度、更に好ましくは２０度〜３０度とすることが好ましい。また、角度θ２＞角度θ３となるように設定されることが好ましい。
【００４６】
突起部１２の形状は、特に限定されるものではないが、図３（Ａ）〜（Ｃ）の構成では、側面視において上下対象（ストレート部１１の長手方向において対象）の形状を有し、上下方向（ストレート部１１の長手方向）の中央部から上下方向になだらかに傾斜するアール形状部を有する構成としている。アール形状部を有することで、内側ストロー２０をテーパー部１４へ軽い力で挿入することができる。
【００４７】
また、図４（Ａ）（Ｂ）の構成のように、突起部１２Ａの形状は、側面視においてテーパー部１４に向かうほど突出長さが大きくなるような傾斜面１２ａを有する構成としてもよい。傾斜面１２ａを有することで、内側ストロー２０のテーパー部１４への挿入を軽い力で行うことができる。
【００４８】
また、図５（Ａ）〜（Ｃ）に示すように、外側ストロー１０には、飲み口部１９を屈曲部１３の方に近づけ、ジャバラで構成された被屈曲部１７を曲げた状態で維持できるようにするための折曲状態維持機構３０Ｍが設けられる。本実施形態では、クリップ３０にて折曲状態維持機構３０Ｍが構成されている。
【００４９】
クリップ３０は、屈曲部１３の傾斜部１５に係止されるリング状の係止部３２と、飲み口部１９を係止するためのＣ字状の係止部３４と、係止部３２，３４同士を繋ぐ連結部３６とを有して構成される。クリップ３０は、例えば、弾性のあるプラスチック成形品にて製作することができる。
【００５０】
クリップ３０は、通常の飲用時（図１（Ａ）参照）では、係止部３２が傾斜部１５側に括り付けられるようにして配置され、係止部３４は飲み口部１９から離れた状態とされる。係止部３２が傾斜部１５側に括り付けられるため、クリップ３０は脱落してしまうことがない。
【００５１】
他方、持ち運び等する際にストロー１の流路を閉じる非飲用時状態（図１（Ｂ））では、係止部３４を飲み口部１９に係止させることで、飲み口部１９が屈曲部１３側に近づけられ、被屈曲部１７、及び、その内側において内側ストロー２０を折り曲げた状態を維持することができる。
【００５２】
また、本実施形態では、飲み口部１９側を係止するための係止部３４は、Ｃ字状として切り欠部３４ａを有しているため、この切り欠部３４ａを開いて幅を広くすることで、飲み口部１９の中途部を係止部３４内に差し込むことができ、作業性が良いものとなっている。仮に、切り欠部３４ａがない場合には、飲み口部１９の先端を係止部３４に差し込まなければならず、作業が煩雑となってしまう。
【００５３】
なお、クリップ３０の形状は図５に示されるように、外側ストロー１０と別体の形態にて設けられることとする他、外側ストロー１０の屈曲部１３に一体的に設けることや、外側ストロー１０の飲み口部１９側に一体的に設ける形態も考えられる。
【００５４】
また、折曲状態維持機構３０Ｍは図５に示したクリップ３０で構成するほか、飲み口部１９に外側ストロー１０の屈曲部１３などに係止させるための係止部を設け、当該係止部を係止させることで飲み口部１９が屈曲部１３などに係止され、被屈曲部１７が折り曲げられる状態を維持することとしてもよい。
【００５５】
さらには、例えば、外側ストロー１０の屈曲部１３に飲み口部１９の開口部（先端）を引っ掛けるための係止部を設け、飲み口部１９の開口部を係止部に挿入させることで、被屈曲部１７が折り曲げられる状態を維持することなども考えられる。あるいは、容器５（図１（Ａ）（Ｂ）参照）側に飲み口部１９を係止するための係止部を設けることや、飲み口部１９に容器５に係止するための係止部を設けることなども考えられる。
【００５６】
次に、図６（Ａ）〜（Ｆ）を用いて、ストロー１を飲用時状態から非飲用時状態とする場合の手順について説明する。図６（Ａ）に示すように、まず、飲用時状態において伸ばされていた内側ストロー２０を外側ストロー１０側へと移動させる。
【００５７】
外側ストロー１０に対して内側ストロー２０を押し込むように移動させる操作は、一旦ストロー１を抜き出して、外側ストロー１０と内側ストロー２０をそれぞれ指で押さえつつ互いに近づけることとするほか、内側ストロー２０の先端を容器５（図１（Ａ）参照）の底部、或いは、壁部に押し付けつつ外側ストロー１０を下側に移動させることで行うこととしてもよい。
【００５８】
次いで、図６（Ｂ）に示すように、内側ストロー２０の端部２２ａが突起部１２に突き当たり、さらに移動させることで、へこみ部２６が形成される。この状態では、内側ストロー２０のへこみ部２６において応力が発生することになる。
【００５９】
次いで、図６（Ｃ）に示すように、内側ストロー２０をさらに移動させると、傾斜部１５の上側の内壁面１５ａに内側ストロー２０の端部２２ａが突き当てられる。この突き当てられた状態から内側ストロー２０がさらに押し込まれると、内側ストロー２０を移動させる荷重Ｆ１と、内側ストロー２０に内在する応力によって生じる荷重Ｆａに起因して傾斜部１５側から作用する荷重Ｆ２（反力）と、によって合力Ｆ３が生じることになる。
【００６０】
この合力Ｆ３の向きは、傾斜部１５の傾斜に沿う方向（ストレート部１１の管軸方向１１ｋに対して傾く方向）になるため、内側ストロー２０の端部２２ａが傾斜部１５に沿って移動しやすい状況とすることができる。
【００６１】
さらに、図６（Ｄ）に示すように、傾斜部１５の傾斜に沿って内側ストロー２０が移動する過程において、内側ストロー２０には突起部１２からの荷重Ｆ４が作用し、さらに、内側ストロー２０の端部２２ａに対し傾斜部１５側から荷重Ｆ２（反力）が作用することにより、内側ストロー２０の屈曲部２０ａが突起部１２と反対側方向に引き寄せるような荷重Ｆｂが内側ストロー２０に作用することになる。
【００６２】
この荷重Ｆｂが作用することにより、内側ストロー２０が傾斜部１５の傾斜に沿う方向により曲がりやすくなり、内側ストロー２０を軽い力で移動させることが可能となる。
【００６３】
また、テーパー部１４の内壁面において角度θ１の傾斜面１４ａが構成され、この傾斜面１４ａと傾斜部１５の上側の内壁面１５ａ（角度θ２）によって略「く」字状の壁面が構成されることとになっている。この略「く」字状の壁面は、内側ストロー２０が曲げ方向と反対側に形成され、内側ストロー２０との間に空間１８が形成されることになる。
【００６４】
そして、上述の荷重Ｆｂが作用して内側ストロー２０が曲がる際に、内側ストロー２０が曲げ方向と反対側に膨らんだ際には、この空間１８内に内側ストロー２０の膨らみ部を逃がすことが可能となり、内側ストロー２０を不必要にテーパー部１４や傾斜部１５に突き当てることなく、軽い力でスムーズに内側ストロー２０の移動を許容することが可能となる。
【００６５】
次いで、図６（Ｅ）に示すように、内側ストロー２０をさらに移動させ、被屈曲部１７と、飲み口部１９まで進入させた後、被屈曲部１７を指で摘むなどして、被屈曲部１７の内部において内側ストロー２０を折り曲げて屈折部２８が形成される。
【００６６】
この際、内側ストロー２０については、応力が生じているため、被屈曲部１７においても軽い力で折り曲げることができる。また、内側ストロー２０の形状が突起部１２において略楕円形状とされ（図３（Ｂ））、これにより、被屈曲部１７の位置における内側ストロー２０の形状も真円ではなく変形が生じているため、真円である場合と比較して軽い力で折り曲げることができる。
【００６７】
次いで、図６（Ｆ）に示すように、クリップ３０の係止部３６を飲み口部１９に括り付けることで、被屈曲部１７や内側ストロー２０の弾性復帰力に抗して、飲み口部１９が屈曲部１３側に引き付けられた状態となり、被屈曲部１７の内部において内側ストロー２０を折り曲げた状態で維持することができる。
【００６８】
つまり、屈折部２８が形成された状態を維持することができ、この屈折部２８によって内側ストロー２０の流路が閉塞され、ストロー１の流路を通じて飲料が外部に漏れることを防止できる。
【００６９】
また以上の実施形態とするほか、図７（Ａ）に示すストロー１Aのように上述の屈曲部１３（図３（Ａ），（Ｂ）を設けない構成や、図７（Ｂ）に示すストロー１Ｂのように屈曲部１３のうちの傾斜部１５を設けない構成とすることも考えられる。
【００７０】
このような構成においても、外側ストロー１０のストレート部１１（テーパー部１４でもよい）に突起部１２を設けることによって、内側ストロー２０を軽い力で曲げることが可能な構成を実現することができる。
【００７１】
さらに、図２（A）、及び、図５（B）に示すように、被屈曲部１７は、ジャバラにて構成することで、後述するように、被屈曲部１７において容易に屈曲させることができる。
【００７２】
また、この被屈曲部１７については、ジャバラで構成されるほか、図８（Ａ）に示すように、被屈曲部１７の肉厚を他の部位と比較して薄くして軽い力で屈曲可能とすることや、図８（Ｂ）に示すように、被屈曲部１７の素材を例えばシリコンなどの別素材で構成し、他の部位を構成する一般的な素材（ポリプロピレン系素材）と比較して軽い力で屈曲可能とすることなどが考えられる。
【００７３】
以上のようにして本発明を実施することができる。
即ち、図１（Ａ）（Ｂ）に示すように、
容器５の外側に配設される飲み口部１９を有する外側ストロー１０と、
容器５の内側に挿入される先端部２０ｓを有する内側ストロー２０と、を接続して一連の流路を形成するストローにおいて、
外側ストロー１０に対する内側ストロー２０の被挿入部２２が外側ストロー１０とともに折り曲げられた際に屈折部２８（図６（Ｅ））が形成され、
屈折部２８によって内側ストロー２０の流路２４が閉鎖される、ストロー１とするものである。
【００７４】
内側ストロー２０の流路２４が閉鎖されることで、例えば、テーブルの上で容器が倒れてしまった場合においても、ストロー１の内部の流路を通じて飲料が外部に漏れることを防止できる。また、例えば、飲み切らない状態において容器をカバンに入れて持ち歩くといった場合においても、カバン内での飲料の流出を防止できる。
【００７５】
また、図２に示すように、外側ストロー１０は容器５の外側に配設される被屈曲部１７を少なくとも有し、
被屈曲部１７内において、内側ストロー２０に屈折部２８が形成される、ストロー１とするものである。
【００７６】
これにより、被屈曲部１７が形成する湾曲により、その内部の内側ストロー２０を曲げた状態を維持し、屈折部２８による流路２４の閉鎖状態を保つことができる。
【００７７】
また、図２に示すように、外側ストロー１０は、被屈曲部１７を介して飲み口部１９と反対側に配設されるストレート部１１を有し、
ストレート部１１の内壁１１ａにおいて、内側ストロー２０の外壁部を押圧するための突起部１２が設けられ、
内側ストロー２０が突起部１２により押圧されて内側ストロー２０が変形してへこみ部２６が形成され、
へこみ部２６に応力が生じることで、変形前の状態と比較して内側ストロー２０を軽い力で折り曲げて屈折部２８を形成することを可能とする、ストロー１とするものである。
【００７８】
これにより、突起部１２を設けるといった簡易な構成で、内側ストロー２０を曲げやすい構成を実現できる。また、へこみ部２６において流路２４を狭くすることができ、屈折部２８に飲料が到達し難くなって、内側ストロー２０を通じた飲料の漏れをより効果的に防止できる。
【００７９】
また、外側ストロー１０は、ストレート部１１と被屈曲部１７の間に、ストレート部１１の管軸方向１１ｋに対して管軸方向１５ｋが傾斜する傾斜部１５を有し、
内側ストロー２０は、傾斜部１５に沿うように曲げられる、こととしている。
【００８０】
内側ストロー２０が傾斜部１５に沿うように曲げられることで、内側ストロー２０に応力が生じ、内側ストロー２０をより軽い力で折り曲げることが可能となる。
【００８１】
また、被屈曲部１７の内部において内側ストロー２０を折り曲げて屈折部２８が形成された状態を維持するための折曲状態維持機構３０Ｍが設けられる、こととしている。
【００８２】
これにより、例えば、持ち運び等する際にストロー１の流路を閉じる非飲用時状態を確実に維持することができ、ストロー１の流路を通じて飲料が漏れることを防止できる。
【００８３】
また、ストレート部１１には、被屈曲部１７に近い側ほど外径の大きいテーパー部１４が形成される、ストロー１とする。
【００８４】
これにより、図１（Ｂ）に示すように、例えば、持ち運び等する際に、容器５の蓋フィルム７に空けられたストロー孔７ａに対しテーパー部１４を嵌入させることで、ストロー孔７ａをテーパー部１４で塞ぐことができ、テーパー部１４が存在しない場合と比較してストロー孔７ａからの飲料の漏れを防止することができる。また、テーパー部１４が存在することで、ストロー１全体が持ちやすくなり、ストロー１を指の表面で滑らせることなく、容器に対し容易に差し込むことが可能となる。
【００８５】
また、外側ストロー１０の長さ方向において、突起部１２、テーパー部１４、傾斜部１５、被屈曲部１７、飲み口部１９が順に配置されるものであり、テーパー部１４と傾斜部１５が隣接して屈曲部１３が形成される、ストロー１とする。
【００８６】
これにより、突起部１２にて内側ストロー２０が変形して応力が発生し、屈曲部１３において容易に曲がりやすくなり、内側ストロー２０の端部２２ａを軽い力で被屈曲部１７を通過して飲み口部１９まで到達させることができ、さらには、被屈曲部１７の内側において内側ストロー２０を軽い力で折り曲げて容易に屈折部２８を形成することが可能となる。
【００８７】
また、前記被屈曲部１７は、ジャバラ、又は、他の部位よりも肉厚の薄い薄肉部、又は、他の部位と異なる素材であって他の部位よりも可撓性の高い素材、のいずれか、又は、こられの組み合わせによって構成される、ストロー１とする。
【００８８】
これにより、被屈曲部において軽い力で、確実に内側ストロー２０を曲げることが可能となる。
【００８９】
なお、以上の実施形態の説明中におけるストローの各部位の角度の数値や長さの設定は、市場において流通する一般的なストローの材質や特性において想定されるものから例を挙げるものに過ぎず、具体的な角度の数値や長さの設定については、特に限定されるものではない。また、以上の実施形態では、二本のストローを連結して構成する例を用いて説明したが、例えば、三本、四本といったように、より多くの本数のストローを連結する構成としてもよい。
【産業上の利用可能性】
【００９０】
本発明は、チルド飲料カップ容器、紙パック容器など各種容器とともに使用されるストローについて、幅広く適用することができる。
【符号の説明】
【００９１】
１    ストロー
３    飲料
５    容器
７    蓋フィルム
７ａ    ストロー孔
１０    外側ストロー
１１    ストレート部
１２    突起部
１３    屈曲部
１４    テーパー部
１５    傾斜部
１７    被屈曲部
１９    飲み口部
２０    内側ストロー
２２    被挿入部
２４    流路
２６    へこみ部
２８    屈折部
３０    クリップ
３０Ｍ    折曲状態維持機構
【図１】
2015223363.tif 000003
【図２】
2015223363.tif 000004
【図３】
2015223363.tif 000005
【図４】
2015223363.tif 000006
【図５】
2015223363.tif 000007
【図６】
2015223363.tif 000008
【図７】
2015223363.tif 000009
【図８】
2015223363.tif 000010
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
容器の外側に配設される飲み口部を有する外側ストローと、
前記容器の内側に挿入される先端部を有する内側ストローと、を接続して一連の流路を形成するストローにおいて、
前記外側ストローに対する前記内側ストローの被挿入部が前記外側ストローとともに折り曲げられた際に屈折部が形成され、
前記屈折部によって前記内側ストローの流路が閉鎖される、ストローであって、
前記外側ストローは前記容器の外側に配設される被屈曲部を少なくとも有し、
前記被屈曲部内において、前記内側ストローに前記屈折部が形成され、
前記外側ストローは、前記被屈曲部を介して飲み口部と反対側に配設されるストレート部を有し、
前記ストレート部の内壁において、内側ストローの外壁部を押圧するための突起部が設けられ、
前記内側ストローが前記突起部により押圧されて前記内側ストローが変形してへこみ部が形成され、
前記へこみ部に応力が生じることで、変形前の状態と比較して前記内側ストローを軽い力で折り曲げて前記屈折部を形成することを可能とする、
ストロー。
【請求項２】
前記外側ストローは、前記ストレート部と前記被屈曲部の間に、前記ストレート部の管軸方向に対して管軸方向が傾斜する傾斜部を有し、
前記内側ストローは、前記傾斜部に沿うように曲げられる、
ことを特徴とする請求項１に記載のストロー。
【請求項３】
前記被屈曲部の内部において前記内側ストローを折り曲げて前記屈折部が形成された状態を維持するための折曲状態維持機構が設けられる、
ことを特徴とする請求項１又は請求項２に記載のストロー。
【請求項４】
前記ストレート部には、前記被屈曲部に近い側ほど外径の大きいテーパー部が形成される、
ことを特徴とする請求項１乃至請求項３のいずれか一項に記載のストロー。
【請求項５】
前記外側ストローの長さ方向において、前記突起部、前記テーパー部、前記傾斜部、前記被屈曲部、前記飲み口部が順に配置されるものであり、前記テーパー部と前記傾斜部が隣接することで屈曲部が形成される、
ことを特徴とする請求項４に記載のストロー。
【請求項６】
前記被屈曲部は、ジャバラ、又は、他の部位よりも肉厚の薄い薄肉部、又は、他の部位と異なる素材であって他の部位よりも可撓性の高い素材、のいずれか、又は、こられの組み合わせによって構成される、
ことを特徴とする請求項１乃至請求項５のいずれか一項に記載のストロー。
【手続補正２】
【補正対象書類名】明細書
【補正対象項目名】００１３
【補正方法】変更
【補正の内容】
【００１３】
即ち、請求項１に記載のごとく、容器の外側に配設される飲み口部を有する外側ストローと、前記容器の内側に挿入される先端部を有する内側ストローと、を接続して一連の流路を形成するストローにおいて、前記外側ストローに対する前記内側ストローの被挿入部が前記外側ストローとともに折り曲げられた際に屈折部が形成され、前記屈折部によって前記内側ストローの流路が閉鎖される、ストローであって、前記外側ストローは前記容器の外側に配設される被屈曲部を少なくとも有し、前記被屈曲部内において、前記内側ストローに前記屈折部が形成され、前記外側ストローは、前記被屈曲部を介して飲み口部と反対側に配設されるストレート部を有し、前記ストレート部の内壁において、内側ストローの外壁部を押圧するための突起部が設けられ、前記内側ストローが前記突起部により押圧されて前記内側ストローが変形してへこみ部が形成され、前記へこみ部に応力が生じることで、変形前の状態と比較して前記内側ストローを軽い力で折り曲げて前記屈折部を形成することを可能とする、ストローとする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、請求項２に記載のごとく、前記外側ストローは、前記ストレート部と前記被屈曲部の間に、前記ストレート部の管軸方向に対して管軸方向が傾斜する傾斜部を有し、前記内側ストローは、前記傾斜部に沿うように曲げられる、こととする。
【手続補正６】
【補正対象書類名】明細書
【補正対象項目名】００１７
【補正方法】変更
【補正の内容】
【００１７】
また、請求項３に記載のごとく、前記被屈曲部の内部において前記内側ストローを折り曲げて前記屈折部が形成された状態を維持するための折曲状態維持機構が設けられる、こととしている。
【手続補正７】
【補正対象書類名】明細書
【補正対象項目名】００１８
【補正方法】変更
【補正の内容】
【００１８】
また、請求項４に記載のごとく、前記ストレート部には、前記被屈曲部に近い側ほど外径の大きいテーパー部が形成される、ストローとする。
【手続補正８】
【補正対象書類名】明細書
【補正対象項目名】００１９
【補正方法】変更
【補正の内容】
【００１９】
また、請求項５に記載のごとく、前記外側ストローの長さ方向において、前記突起部、前記テーパー部、前記傾斜部、前記被屈曲部、前記飲み口部が順に配置されるものであり、前記テーパー部と前記傾斜部が隣接する箇所に屈曲部が形成される、こととする。
【手続補正９】
【補正対象書類名】明細書
【補正対象項目名】００２０
【補正方法】変更
【補正の内容】
【００２０】
また、請求項６に記載のごとく、前記被屈曲部は、ジャバラ、又は、他の部位よりも肉厚の薄い薄肉部、又は、他の部位と異なる素材であって他の部位よりも可撓性の高い素材、のいずれか、又は、こられの組み合わせによって構成される、ストローとする。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
また、請求項１に記載の発明においては、突起部を設けるといった簡易な構成で、内側ストローを曲げやすい構成を実現できる。また、へこみ部において流路を狭くすることができ、屈折部に飲料が到達し難くなって、内側ストローを通じた飲料の漏れをより効果的に防止できる。
【手続補正１３】
【補正対象書類名】明細書
【補正対象項目名】００２５
【補正方法】変更
【補正の内容】
【００２５】
また、請求項２に記載の発明においては、内側ストローが傾斜部に沿うように曲げられることで、内側ストローに応力が生じ、内側ストローをより軽い力で折り曲げることが可能となる。
【手続補正１４】
【補正対象書類名】明細書
【補正対象項目名】００２６
【補正方法】変更
【補正の内容】
【００２６】
また、請求項３に記載の発明においては、例えば、持ち運び等する際にストローの流路を閉じる非飲用時状態を確実に維持することができ、ストローの流路を通じて飲料が漏れることを防止できる。
【手続補正１５】
【補正対象書類名】明細書
【補正対象項目名】００２７
【補正方法】変更
【補正の内容】
【００２７】
また、請求項４に記載の発明においては、例えば、持ち運び等する際に、容器の蓋フィルムに空けられたストロー孔に対しテーパー部を嵌入させることで、ストロー孔をテーパー部で塞ぐことができ、テーパー部が存在しない場合と比較してストロー孔からの飲料の漏れを防止することができる。また、テーパー部が存在することで、ストロー全体が持ちやすくなり、ストローを指の表面で滑らせることなく、容器に対し容易に差し込むことが可能となる。
【手続補正１６】
【補正対象書類名】明細書
【補正対象項目名】００２８
【補正方法】変更
【補正の内容】
【００２８】
また、請求項５に記載の発明においては、突起部にて内側ストローが変形して応力が発生し、屈曲部において容易に曲がりやすくなり、内側ストローの端部を軽い力で被屈曲部を通過して飲み口部まで到達させることができ、さらには、被屈曲部の内側において内側ストローを軽い力で折り曲げて容易に屈折部を形成することが可能となる。
【手続補正１７】
【補正対象書類名】明細書
【補正対象項目名】００２９
【補正方法】変更
【補正の内容】
【００２９】
また、請求項６に記載の発明においては、被屈曲部において軽い力で、確実に内側ストローを曲げることが可能となる。
【手続補正１８】
【補正対象書類名】明細書
【補正対象項目名】００８５
【補正方法】変更
【補正の内容】
【００８５】
また、外側ストロー１０の長さ方向において、突起部１２、テーパー部１４、傾斜部１５、被屈曲部１７、飲み口部１９が順に配置されるものであり、テーパー部１４と斜部１５が隣接することで屈曲部１３が形成される、ストロー１とする。